(57)【要約】【課題】美容、理容用のカラー剤、白髪染剤などの髪染剤を、効率的かつ頭皮への付着を少量に抑えて髪に塗布する髪染め補助具、及びそれを用いた髪染め用櫛を提供する。【解決手段】櫛の歯の根元に接触せず前記歯の先端部に備えられ、前記歯の周囲に染色剤を貯留する液溜空間を有し、先端が前記歯の端部より前記歯の根元側に位置し、前記歯の端部の頭皮への当接を阻害しないことを特徴とする髪染め補助具の構成とした。また、前記髪染め補助具を櫛の歯の根元に接触せず前記歯の先端部に取り付けた髪染め用櫛であって、前記髪染め補助具の先端を、前記歯の端部より前記歯の根元側に位置し、前記歯の端部が頭皮に当接することを特徴とする髪染め用櫛の構成とした。【選択図】図３
2020163036.tif 000002
【特許請求の範囲】
【請求項１】
櫛の歯に備えられ、染色剤を貯留する液溜空間を有し、先端が前記櫛の歯の端部より前記歯の根元側に位置し、前記歯の端部の頭皮への当接を阻害しないことを特徴とする髪染め補助具。
【請求項２】
請求項１に記載の髪染め補助具が、前記歯を囲む輪部と、前記歯の先側に向け前記輪部から放射状に突設された複数の枝とかなり、
前記液溜空間が、前記複数の枝で囲まれた空間に形成されることを特徴とする。
【請求項３】
前記液溜空間内に、請求項２に記載の髪染め補助具より前記枝が短い髪染め補助具を備えることを特徴とする髪染め補助具。
【請求項４】
請求項１に記載の髪染め補助具が、
前記歯を囲む輪部と、前記歯の先側に向け前記輪部から弧状に突設された複数の柵と、前記複数の柵の端部を連結し前記歯を囲む第二輪部とかなる袋状であって、
前記液溜空間が、
前記複数の柵で囲まれた空間に形成されることを特徴とする。
【請求項５】
請求項１〜請求項４のいずれか１項の髪染め補助具は、チューブを縦に割いて形成されることを特徴とする。
【請求項６】
前記チューブが、熱シュリンク素材であることを特徴とする請求項５に記載の髪染め補助具。
【請求項７】
請求項１〜請求項６のいずれか１項の髪染め補助具を前記櫛の歯に取り付けた髪染め用櫛であって、
前記髪染め補助具の先端を、前記歯の端部より前記歯の根元側に位置し、前記歯の端部が頭皮に当接することを特徴とする髪染め用櫛。
【請求項８】
前記髪染め補助具の前記歯への取り付けが、
前記櫛の前記歯と一体成形によるものであること、
或いは、前記櫛の前記歯に着脱可能であること、
を特徴とする請求項７に記載の髪染め用櫛。
【発明の詳細な説明】
【技術分野】
【０００１】
本発明は、美容、理容用のカラー剤、白髪染剤などの髪染剤を、効率的かつ頭皮への付着を少量に抑えて髪に塗布する髪染め補助具、及びそれを用いた髪染め用櫛に関する。
【背景技術】
【０００２】
本発明の櫛には、髪を梳かす、ピンが本体から複数列起立したブラシタイプ、歯が板状の軸から一方向、或いは両方向に一列に並んで突設される板タイプ（コーム）のいずれも含まれる。以後、櫛に起立する突起は、ピン、歯いずれも歯ともいう。たたし、毛が密集したタイプのブラシタイプは本発明の対象とはしない。
【０００３】
従来髪染めには、髪に直接髪染剤を塗布してコームで塗り拡げる方式、ブラシ、コームに二液タイムの染色剤を付着させて髪に塗布、すき込む方式が一般的である。他方、歯から染色剤が湧き出て髪に塗る装置もある。また、髪染めに特化したクシも、特許文献１−５など、いくつか開発されている。
【０００４】
しかし、いずれも、染色剤を多量に使用し、頭皮にも多量に付着する。例えば、定期的髪染めする者は、髪の根元だけでもよいが、髪全体に塗り広げられることもある。
【先行技術文献】
【特許文献】
【０００５】
【特許文献１】実登３１７５９１４号公報
【特許文献２】実登３１５９６８６号公報
【特許文献３】特表２００９−５３８１７４号公報
【特許文献４】特開平１０−２７６８２９号公報
【特許文献５】実登３０２７０４２号公報
【特許文献６】実登３０２７０４１号公報
【発明の概要】
【発明が解決しようとする課題】
【０００６】
そこで、本発明は、美容、理容用のカラー剤、白髪染剤などの髪染剤を、効率的かつ頭皮への付着を少量に抑えて髪に塗布する髪染め補助具、及びそれを用いた髪染め用櫛を提供することを目的とする。
【課題を解決するための手段】
【０００７】
本発明は、上記課題を解決するために、
（１）
櫛の歯に備えられ、染色剤を貯留する液溜空間を有し、先端が前記櫛の歯の端部より前記歯の根元側に位置し、前記歯の端部の頭皮への当接を阻害しないことを特徴とする髪染め補助具。
（２）
（１）に記載の髪染め補助具が、前記歯を囲む輪部と、前記歯の先側に向け前記輪部から放射状に突設された複数の枝とかなり、
前記液溜空間が、前記複数の枝で囲まれた空間に形成されることを特徴とする。
（３）
前記液溜空間内に、（２）に記載の髪染め補助具より前記枝が短い髪染め補助具を備えることを特徴とする髪染め補助具。
（４）
（１）に記載の髪染め補助具が、
前記歯を囲む輪部と、前記歯の先側に向け前記輪部から弧状に突設された複数の柵と、前記複数の柵の端部を連結し前記歯を囲む第二輪部とかなる袋状であって、
前記液溜空間が、
前記複数の柵で囲まれた空間に形成されることを特徴とする。
（５）
（１）〜（４）のいずれか１つの髪染め補助具は、チューブを縦に割いて形成されることを特徴とする。
（６）
前記チューブが、熱シュリンク素材であることを特徴とする（５）に記載の髪染め補助具。
（７）
（１）〜（６）のいずれか１つの髪染め補助具を前記櫛の歯に取り付けた髪染め用櫛であって、
前記髪染め補助具の先端を、前記歯の端部より前記歯の根元側に位置し、前記歯の端部が頭皮に当接することを特徴とする髪染め用櫛。
（８）
前記髪染め補助具の前記歯への取り付けが、
前記櫛の前記歯と一体成形によるものであること、
或いは、前記櫛の前記歯に着脱可能であること、
を特徴とする（７）に記載の髪染め用櫛。
の構成とした。
【発明の効果】
【０００８】
本発明は以上の構成であるから、美容、理容用のカラー剤、白髪染剤などの髪染剤を、効率的かつ頭皮への付着を少量に抑えて髪に塗布する髪染め補助具、及びそれを用いた髪染め用櫛を提供する。
【図面の簡単な説明】
【０００９】
【図１】本発明である髪染め用櫛の第一の例の斜視図である。
【図２】本発明である髪染め補助具の縦部分断面・透視図である。髪染め用櫛の１本の歯に取り付けた状態を示している。図５及び図７においても同じである。
【図３】第一の例の使用状態を示す模式図である。図３（Ａ）は使用前の部分断面図、（Ｂ）は染色剤１２に髪染め補助具３を浸漬している様子を示している。図３（Ｃ）は、先の染色後に伸びた部分（白髪）で、染色剤１２を塗布する部分（Ｃ１）と、染色済み部分（Ｃ２）を示している。塗布するときは、歯２ｃの端部２ｄを頭皮１０に当接することで、染色剤１２を貯留する液溜空間３ｅ（染色剤１２）に頭皮１０が接触せず、染色剤１２の頭皮１０への付着を少量化することができる。頭皮１０の負担が軽減する。
【図４】本発明である髪染め用櫛の第二の例の斜視図である。
【図５】本発明である髪染め補助具の縦部分断面・透視図である。
【図６】本発明である髪染め用櫛の第三の例の斜視図である。
【図７】本発明である髪染め補助具の縦部分断面・透視図である。
【図８】本発明である髪染め用櫛の第四の例の斜視図である。
【発明を実施するための形態】
【００１０】
以下、添付の図面を参照し、本発明の実施の形態について詳細に説明する。なお、本発明は以下の実施例に限定されるものはない。
【実施例１】
【００１１】
図１に示すように、本発明である髪染め用櫛１は、櫛２と、髪染め補助具３とからなる。櫛２は、取っ手２ａと、取っ手２ａに連設した本体２ｂと、本体２ｂから複数列起立した複数の歯２ｃからなる。ここでは、髪梳き用のピンが歯２ｃであるヘアブラシタイプを例示した。
【００１２】
本発明の髪染め補助具は、櫛の歯に備えられ、染色剤を貯留する液溜空間を有し、先端が櫛の歯の端部より、歯の根元側に位置し、歯の端部の頭皮への当接を阻害しないものである。
【００１３】
歯の端部と髪染め補助具に先端とが、１ｍｍ〜３ｍｍの範囲が最も好ましい。歯の端部が頭皮に当たることで、頭皮への染色剤の塗布量を抑えることができるとともに、髪の根元にも十分に染色剤が拡散、浸透、行き渡る。
【００１４】
髪の染色は、こまめに行えば、髪が伸びた部分だけに染色剤を塗布すればよく、髪全体に塗布して染色剤を多量に使用することもなく、また、頭皮への付着も少量に抑え、炎症も抑制できる。従来は、家庭でやっても大掛かりで、煩雑な作業であった。本発明の髪染め補助具を用いるころで、家庭でも、手軽に、低コスト、短時間で、頭皮の負担も少なく、髪染めを行うことができる。
【００１５】
より詳しくは、図２−３に示すように、髪染め補助具３は、歯２ｃを囲む輪部３ａと、歯２ｃの先側に向け輪部３ａから放射状に突設された複数の枝３ｃとかなり、液溜空間３ｅが、複数の枝３ｃで囲まれた空間に形成される。
【００１６】
図３では、髪染め補助具３は、歯２ｃ一列において、歯２ｃ１本置きに装着されている（本体２ｂ先の一部、一列部分を掲載している）。髪染め補助具３の装着頻度、数は、歯２ｃの間隔、髪染め補助具３の大さ、染色剤１２を塗布する場所、範囲などにより、適宜選択する。さらに、髪染め補助具３が歯２ｃに対して、着脱可能式であれば使用の都度、髪染め補助具３の設置位置、数を変更することもできる。
【００１７】
髪染め用櫛１は、図３に示すように使用される。図３（Ａ）に示す髪染め補助具３を、図３（Ｂ）に示すように、容器１３などに溜めたペースト状の染色剤１２（白髪染め、二液混合するヘアーカラー剤など）と接触させ、髪染め補助具３の液溜空間３ｅに染色剤１２を充填する。染色剤１２は、液溜空間３ｅに、毛細管現象、表面張力、あるいは染色剤１２の粘度により充填保持される。
【００１８】
そして、液溜空間３ｅに染色剤１２が貯留されることで、髪１１に直接染色剤１２を塗布して、櫛などで塗り拡げる必要がなく、一度の染色剤１２の貯留で、髪染め用櫛１を図３（ｃ）に示すように位置さえ、左右に小刻みに揺らすことで、髪１１の根元部分の新たに伸びた染色されていない髪１１部分（Ｃ１範囲）が染色剤１２に接触し、広範囲の髪１１の根元部分に短時間で染色剤１２を塗布することができ、染色を必要としない染色済み髪１１部分（Ｃ２）への染色を必要とせず、髪染め作業を容易にすることができる。
【実施例２】
【００１９】
図４に示すように、本発明である髪染め用櫛１ａは、櫛２と、髪染め補助具３及び髪染め補助具３の液溜空間内に配置した髪染め補助具４とからなる。
【００２０】
髪染め補助具４は、髪染め補助具３において、枝４ｃが枝３ｃより短いだけである。すなわち、髪染め補助具４は、輪部３ａと歯２ｃの端部２ｄとの間に位置し、歯２ｃを囲む輪部４ａと、歯２ｃの先側に向け輪部４ａから放射状に突設された複数の枝４ｃとかなり、液溜空間４ｅが、複数の枝４ｃで囲まれた空間に形成される。先端４ｄは、歯２ｃの端部２ｄより歯２ｃの根元側に位置する。さらに、枝３ｃの先端３ｄより歯２ｃの根元側に位置するとよい。加えて、図３−４では、髪染め補助具３，４を二重で使用しているが、ささらに髪染め補助具を加えて、三重、四重にして使用してもよい。
【００２１】
この場合、枝４ｃと枝３ｃの間にも液溜空間３ｅであるが、髪染め補助具４があることで、髪染め補助具３単品より、液溜空間への染色剤１２の充填が容易になり、安定して保持される。毛細管現象、表面張力、あるいは染色剤１２の粘度による吸着、絡め取り、或いはそれらが複合的に向上したためと思われます。
【実施例３】
【００２２】
図６に示すように、本発明である髪染め用櫛１ｂは、櫛２と、髪染め補助具５からなる。髪染め補助具５は、図４に明示するように、歯２ｃを囲む輪部５ａと、歯２ｃの先側に向け輪部５ａから弧状に突設された複数の柵５ｃと、複数の柵５ｃの端部を連結し、歯２ｃを囲む第二輪部５ｂとかなる袋状である。
【００２３】
複数の柵５ｃで囲まれた空間に液溜空間５ｅが形成され、図３（Ｂ）のように、操作することで柵５ｃの隙間から染色剤１２が液溜空間５ｅに充填される。
【００２４】
第二輪部５ｂの先端５ｄは、歯２ｃの端部２ｄより、歯２ｃの根元側に位置する。歯２ｃの端部２ｄの頭皮１０への当接を邪魔しない。
【００２５】
髪１１は、その根元が、柵５ｃで囲まれ空間の液溜空間５ｅに充填、保持された染色剤１２に触れて、髪１１の根元を集中的に染めることができる。
【実施例４】
【００２６】
図８に示すように、本発明である髪染め用櫛１ｃは、櫛６と、髪染め補助具３及び髪染め補助具４からなる。櫛６は、軸６ａの両方向に一列に並んで突設される歯６ｃを備える板タイプ（コーム）である。髪染め補助具３及び髪染め補助具４は、実施例２において説明した通りである。このような、構成であっても、歯６ｃの端部６ｄは、頭皮１０に当節し、染色剤１２を直接頭皮に多量に付着させない。
【００２７】
髪染め補助具は、以上の通りで、素材は、樹脂、弾性体などが例示できるが、チューブを縦に割いて、輪部と枝或いは柵を作り、着脱式としてもいい。その際、チューブが熱シュリンクであれば、家庭用ドライヤー等の熱で収縮し、歯に取り付けることができる、劣化したら、交換すればよい。また、弾性体であれば、取り付け位置などの変更が容易である。他方、歯と一体成形されても、もちろん構わない。
【符号の説明】
【００２８】
１      髪染め用櫛
１ａ    髪染め用櫛
１ｂ    髪染め用櫛
１ｃ    髪染め用櫛
２      櫛
２ａ    取っ手
２ｂ    本体
２ｃ    歯
２ｄ    端部
３      髪染め補助具
３ａ    輪部
３ｃ    枝
３ｄ    先端
３ｅ    液溜空間
４      髪染め補助具
４ａ    輪部
４ｃ    枝
４ｄ    先端
４ｅ    液溜空間
５      髪染め補助具
５ａ    輪部
５ｂ    第二輪部
５ｃ    柵
５ｄ    先端
５ｅ    液溜空間
６      櫛
６ａ    軸
６ｃ    歯
６ｄ    端部
１０    頭皮
１１    髪
１２    染色剤
１３    容器
【図１】
2020163036.tif 000003
【図２】
2020163036.tif 000004
【図３】
2020163036.tif 000005
【図４】
2020163036.tif 000006
【図５】
2020163036.tif 000007
【図６】
2020163036.tif 000008
【図７】
2020163036.tif 000009
【図８】
2020163036.tif 000010
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
櫛の歯の根元に接触せず前記歯の先端部に備えられ、前記歯の周囲に染色剤を貯留する液溜空間を有し、先端が前記歯の端部より前記歯の根元側に位置し、前記歯の端部の頭皮への当接を阻害しないことを特徴とする髪染め補助具。
【請求項２】
請求項１に記載の髪染め補助具が、前記歯を囲む輪部と、前記歯の先側に向け前記輪部から放射状に突設された複数の枝とかなり、
前記液溜空間が、前記複数の枝で囲まれた空間であることを特徴とする。
【請求項３】
請求項２に記載の髪染め補助具と、
請求項２に記載の髪染め補助具の前記液溜空間内に位置する、請求項２に記載の髪染め補助具の前記枝より枝が短い第二の髪染め補助具と、
からなることを特徴とする髪染め補助具。
【請求項４】
請求項１に記載の髪染め補助具が、
前記歯を囲む輪部と、前記歯の先側に向け前記輪部から弧状に突設された複数の柵と、前記複数の柵の端部を連結し前記歯を囲む第二輪部とかなる袋状であって、
前記液溜空間が、
前記複数の柵で囲まれた空間であることを特徴とする。
【請求項５】
請求項１〜請求項４のいずれか１項の髪染め補助具は、チューブを縦に割いた形状であることを特徴とする。
【請求項６】
前記チューブが、熱シュリンク素材であることを特徴とする請求項５に記載の髪染め補助具。
【請求項７】
請求項１〜請求項６のいずれか１項の髪染め補助具を櫛の歯の根元に接触せず前記歯の先端部に取り付けた髪染め用櫛であって、
前記髪染め補助具の先端を、前記歯の端部より前記歯の根元側に位置し、前記歯の端部が頭皮に当接することを特徴とする髪染め用櫛。
【請求項８】
前記髪染め補助具の前記歯への取り付けが、
前記櫛の前記歯と一体成形によるものであること、
或いは、前記櫛の前記歯に着脱可能であること、
を特徴とする請求項７に記載の髪染め用櫛。
【手続補正２】
【補正対象書類名】明細書
【補正対象項目名】全文
【補正方法】変更
【補正の内容】
【発明の詳細な説明】
【技術分野】
【０００１】
本発明は、美容、理容用のカラー剤、白髪染剤などの髪染剤を、効率的かつ頭皮への付着を少量に抑えて髪に塗布する髪染め補助具、及びそれを用いた髪染め用櫛に関する。
【背景技術】
【０００２】
本発明の櫛には、髪を梳かす、ピンが本体から複数列起立したブラシタイプ、歯が板状の軸から一方向、或いは両方向に一列に並んで突設される板タイプ（コーム）のいずれも含まれる。以後、櫛に起立する突起は、ピン、歯いずれも歯ともいう。たたし、毛が密集したタイプのブラシタイプは本発明の対象とはしない。
【０００３】
従来髪染めには、髪に直接髪染剤を塗布してコームで塗り拡げる方式、ブラシ、コームに二液タイムの染色剤を付着させて髪に塗布、すき込む方式が一般的である。他方、歯から染色剤が湧き出て髪に塗る装置もある。また、髪染めに特化したクシも、特許文献１−５など、いくつか開発されている。
【０００４】
しかし、いずれも、染色剤を多量に使用し、頭皮にも多量に付着する。例えば、定期的髪染めする者は、髪の根元だけでもよいが、髪全体に塗り広げられることもある。
【先行技術文献】
【特許文献】
【０００５】
【特許文献１】実登３１７５９１４号公報
【特許文献２】実登３１５９６８６号公報
【特許文献３】特表２００９−５３８１７４号公報
【特許文献４】特開平１０−２７６８２９号公報
【特許文献５】実登３０２７０４２号公報
【特許文献６】実登３０２７０４１号公報
【発明の概要】
【発明が解決しようとする課題】
【０００６】
そこで、本発明は、美容、理容用のカラー剤、白髪染剤などの髪染剤を、効率的かつ頭皮への付着を少量に抑えて髪に塗布する髪染め補助具、及びそれを用いた髪染め用櫛を提供することを目的とする。
【課題を解決するための手段】
【０００７】
本発明は、上記課題を解決するために、
（１）
櫛の歯の根元に接触せず前記歯の先端部に備えられ、前記歯の周囲に染色剤を貯留する液溜空間を有し、先端が前記歯の端部より前記歯の根元側に位置し、前記歯の端部の頭皮への当接を阻害しないことを特徴とする髪染め補助具。
（２）
（１）に記載の髪染め補助具が、前記歯を囲む輪部と、前記歯の先側に向け前記輪部から放射状に突設された複数の枝とかなり、
前記液溜空間が、前記複数の枝で囲まれた空間であることを特徴とする。
（３）
（２）に記載の髪染め補助具と、
（２）に記載の髪染め補助具の前記前記液溜空間内に位置する、（２）に記載の髪染め補助具の前記枝より枝が短い第二の髪染め補助具と、
からなることを特徴とする髪染め補助具。
（４）
（１）に記載の髪染め補助具が、
前記歯を囲む輪部と、前記歯の先側に向け前記輪部から弧状に突設された複数の柵と、前記複数の柵の端部を連結し前記歯を囲む第二輪部とかなる袋状であって、
前記液溜空間が、
前記複数の柵で囲まれた空間であることを特徴とする。
（５）
（１）〜（４）のいずれか１つの髪染め補助具は、チューブを縦に割いた形状であることを特徴とする。
（６）
前記チューブが、熱シュリンク素材であることを特徴とする（５）に記載の髪染め補助具。
（７）
（１）〜（６）のいずれか１つの髪染め補助具を櫛の歯の根元に接触せず前記歯の先端部に取り付けた髪染め用櫛であって、
前記髪染め補助具の先端を、前記歯の端部より前記歯の根元側に位置し、前記歯の端部が頭皮に当接することを特徴とする髪染め用櫛。
（８）
前記髪染め補助具の前記歯への取り付けが、
前記櫛の前記歯と一体成形によるものであること、
或いは、前記櫛の前記歯に着脱可能であること、
を特徴とする（７）に記載の髪染め用櫛。
の構成とした。
【発明の効果】
【０００８】
本発明は以上の構成であるから、美容、理容用のカラー剤、白髪染剤などの髪染剤を、効率的かつ頭皮への付着を少量に抑えて髪に塗布する髪染め補助具、及びそれを用いた髪染め用櫛を提供する。
【図面の簡単な説明】
【０００９】
【図１】本発明である髪染め用櫛の第一の例の斜視図である。
【図２】本発明である髪染め補助具の縦部分断面・透視図である。髪染め用櫛の１本の歯に取り付けた状態を示している。図５及び図７においても同じである。
【図３】第一の例の使用状態を示す模式図である。図３（Ａ）は使用前の部分断面図、（Ｂ）は染色剤１２に髪染め補助具３を浸漬している様子を示している。図３（Ｃ）は、先の染色後に伸びた部分（白髪）で、染色剤１２を塗布する部分（Ｃ１）と、染色済み部分（Ｃ２）を示している。塗布するときは、歯２ｃの端部２ｄを頭皮１０に当接することで、染色剤１２を貯留する液溜空間３ｅ（染色剤１２）に頭皮１０が接触せず、染色剤１２の頭皮１０への付着を少量化することができる。頭皮１０の負担が軽減する。
【図４】本発明である髪染め用櫛の第二の例の斜視図である。
【図５】本発明である髪染め補助具の縦部分断面・透視図である。
【図６】本発明である髪染め用櫛の第三の例の斜視図である。
【図７】本発明である髪染め補助具の縦部分断面・透視図である。
【図８】本発明である髪染め用櫛の第四の例の斜視図である。
【発明を実施するための形態】
【００１０】
以下、添付の図面を参照し、本発明の実施の形態について詳細に説明する。なお、本発明は以下の実施例に限定されるものはない。
【実施例１】
【００１１】
図１に示すように、本発明である髪染め用櫛１は、櫛２と、髪染め補助具３とからなる。櫛２は、取っ手２ａと、取っ手２ａに連設した本体２ｂと、本体２ｂから複数列起立した複数の歯２ｃからなる。ここでは、髪梳き用のピンが歯２ｃであるヘアブラシタイプを例示した。
【００１２】
本発明の髪染め補助具は、櫛の歯の根元に接触せず前記歯の先端部に備えられ、歯の周囲に染色剤を貯留する液溜空間を有し、先端が櫛の歯の端部より、歯の根元側に位置し、歯の端部の頭皮への当接を阻害しないものである。
【００１３】
歯の端部と髪染め補助具に先端とが、１ｍｍ〜３ｍｍの範囲が最も好ましい。歯の端部が頭皮に当たることで、頭皮への染色剤の塗布量を抑えることができるとともに、髪の根元にも十分に染色剤が拡散、浸透、行き渡る。
【００１４】
髪の染色は、こまめに行えば、髪が伸びた部分だけに染色剤を塗布すればよく、髪全体に塗布して染色剤を多量に使用することもなく、また、頭皮への付着も少量に抑え、炎症も抑制できる。従来は、家庭でやっても大掛かりで、煩雑な作業であった。本発明の髪染め補助具を用いるころで、家庭でも、手軽に、低コスト、短時間で、頭皮の負担も少なく、髪染めを行うことができる。
【００１５】
より詳しくは、図２−３に示すように、髪染め補助具３は、歯２ｃを囲む輪部３ａと、歯２ｃの先側に向け輪部３ａから放射状に突設された複数の枝３ｃとかなり、液溜空間３ｅが、複数の枝３ｃで囲まれた空間に形成される。
【００１６】
図３では、髪染め補助具３は、歯２ｃ一列において、歯２ｃ１本置きに装着されている（本体２ｂ先の一部、一列部分を掲載している）。髪染め補助具３の装着頻度、数は、歯２ｃの間隔、髪染め補助具３の大さ、染色剤１２を塗布する場所、範囲などにより、適宜選択する。さらに、髪染め補助具３が歯２ｃに対して、着脱可能式であれば使用の都度、髪染め補助具３の設置位置、数を変更することもできる。
【００１７】
髪染め用櫛１は、図３に示すように使用される。図３（Ａ）に示す髪染め補助具３を、図３（Ｂ）に示すように、容器１３などに溜めたペースト状の染色剤１２（白髪染め、二液混合するヘアーカラー剤など）と接触させ、髪染め補助具３の液溜空間３ｅに染色剤１２を充填する。染色剤１２は、液溜空間３ｅに、毛細管現象、表面張力、あるいは染色剤１２の粘度により充填保持される。
【００１８】
そして、液溜空間３ｅに染色剤１２が貯留されることで、髪１１に直接染色剤１２を塗布して、櫛などで塗り拡げる必要がなく、一度の染色剤１２の貯留で、髪染め用櫛１を図３（ｃ）に示すように位置させ、左右に小刻みに揺らすことで、髪１１の根元部分の新たに伸びた染色されていない髪１１部分（Ｃ１範囲）が染色剤１２に接触し、広範囲の髪１１の根元部分に短時間で染色剤１２を塗布することができ、染色を必要としない染色済み髪１１部分（Ｃ２）への染色を必要とせず、髪染め作業を容易にすることができる。
【実施例２】
【００１９】
図４に示すように、本発明である髪染め用櫛１ａは、櫛２と、髪染め補助具３及び髪染め補助具３の液溜空間内に配置した第二の髪染め補助具４とからなる。髪染め補助具３及び髪染め補助具４のセットで、髪染め補助具７を構成する。
【００２０】
髪染め補助具４は、髪染め補助具３において、枝４ｃが枝３ｃより短いだけである。すなわち、髪染め補助具４は、輪部３ａと歯２ｃの端部２ｄとの間に位置し、歯２ｃを囲む輪部４ａと、歯２ｃの先側に向け輪部４ａから放射状に突設された複数の枝４ｃとかなり、液溜空間４ｅが、複数の枝４ｃで囲まれた空間に形成される。先端４ｄは、歯２ｃの端部２ｄより歯２ｃの根元側に位置する。さらに、枝３ｃの先端３ｄより歯２ｃの根元側に位置するとよい。加えて、図３−４では、髪染め補助具３，４を二重で使用しているが、ささらに髪染め補助具を加えて、三重、四重にして使用してもよい。
【００２１】
この場合、枝４ｃと枝３ｃの間にも液溜空間３ｅであるが、髪染め補助具４があることで、髪染め補助具３単品より、液溜空間への染色剤１２の充填が容易になり、安定して保持される。毛細管現象、表面張力、あるいは染色剤１２の粘度による吸着、絡め取り、或いはそれらが複合的に向上したためと思われます。
【実施例３】
【００２２】
図６に示すように、本発明である髪染め用櫛１ｂは、櫛２と、髪染め補助具５からなる。髪染め補助具５は、図４に明示するように、歯２ｃを囲む輪部５ａと、歯２ｃの先側に向け輪部５ａから弧状に突設された複数の柵５ｃと、複数の柵５ｃの端部を連結し、歯２ｃを囲む第二輪部５ｂとかなる袋状である。
【００２３】
複数の柵５ｃで囲まれた空間に液溜空間５ｅが形成され、図３（Ｂ）のように、操作することで柵５ｃの隙間から染色剤１２が液溜空間５ｅに充填される。
【００２４】
第二輪部５ｂの先端５ｄは、歯２ｃの端部２ｄより、歯２ｃの根元側に位置する。歯２ｃの端部２ｄの頭皮１０への当接を邪魔しない。
【００２５】
髪１１は、その根元が、柵５ｃで囲まれ空間の液溜空間５ｅに充填、保持された染色剤１２に触れて、髪１１の根元を集中的に染めることができる。
【実施例４】
【００２６】
図８に示すように、本発明である髪染め用櫛１ｃは、櫛６と、髪染め補助具３及び髪染め補助具４からなる。櫛６は、軸６ａの両方向に一列に並んで突設される歯６ｃを備える板タイプ（コーム）である。髪染め補助具３及び髪染め補助具４は、実施例２において説明した通りである。このような、構成であっても、歯６ｃの端部６ｄは、頭皮１０に当節し、染色剤１２を直接頭皮に多量に付着させない。
【００２７】
髪染め補助具は、以上の通りで、素材は、樹脂、弾性体などが例示できるが、チューブを縦に割いて、輪部と枝或いは柵を作り、着脱式としてもいい。その際、チューブが熱シュリンクであれば、家庭用ドライヤー等の熱で収縮し、歯に取り付けることができる、劣化したら、交換すればよい。また、弾性体であれば、取り付け位置などの変更が容易である。他方、歯と一体成形されても、もちろん構わない。
【符号の説明】
【００２８】
１      髪染め用櫛
１ａ    髪染め用櫛
１ｂ    髪染め用櫛
１ｃ    髪染め用櫛
２      櫛
２ａ    取っ手
２ｂ    本体
２ｃ    歯
２ｄ    端部
３      髪染め補助具
３ａ    輪部
３ｃ    枝
３ｄ    先端
３ｅ    液溜空間
４      髪染め補助具
４ａ    輪部
４ｃ    枝
４ｄ    先端
４ｅ    液溜空間
５      髪染め補助具
５ａ    輪部
５ｂ    第二輪部
５ｃ    柵
５ｄ    先端
５ｅ    液溜空間
６      櫛
６ａ    軸
６ｃ    歯
６ｄ    端部
７ 髪染め補助具
１０    頭皮
１１    髪
１２    染色剤
１３    容器
【手続補正４】
【補正対象書類名】図面
【補正対象項目名】図５
【補正方法】変更
【補正の内容】
【図５】
2020163036.tif 000011